(57)【要約】      （修正有）【課題】装飾性を発揮するばかりではなく、装飾シート体の被接着体に対する接着性を強度あるものとして剥離耐久性を向上し、生産効率が高い装飾体付身回品を提供する。【解決手段】合成樹脂で構成するシート状基材１、上面に耐熱性の接着剤２で密に固着された多数の粒状装飾体３、裏面に設けたホットメルト接着剤層４を有する装飾シート体５と、装飾シート体がホットメルト接着剤層を介して固着される合成樹脂の被接着体６とで構成される装飾体付身回品Ａとする。被接着体には、正面又は背面と左右の側面、上面又は下面と正面又は背面、或いは左右の側面と上面又は下面との２面が交叉する外縁隅角部に補強リブ７が突設され、補強リブ間には収容凹部８が設けられ、装飾シート体が、ホットメルト接着剤層と被接着体との対向面に設けられるプライマー処理層部９を介して被接着体に固着される。【選択図】図１
0003173360.tif 000002
【実用新案登録請求の範囲】
【請求項１】
合成樹脂で構成されるシート状基材、前記シート状基材の上面に耐熱性の接着剤で密に固着された多数の粒状装飾体、および前記シート状基材の裏面に設けられたホットメルト接着剤層を有する装飾シート体と、で構成される装飾体付身回品において、
前記被接着体には、正面又は背面と左右の側面との２面、上面又は下面と正面又は背面との２面、或いは左右の側面と上面又は下面との２面が交叉する外縁隅角部に補強リブが突設され、
該補強リブ間には収容凹部が設けられ、
前記収容凹部内に収容された前記装飾シート体が、前記ホットメルト接着剤層と前記被接着体との対向面に設けられるプライマー処理層部を介して前記被接着体に固着されている
ことを特徴とする装飾体付身回品。
【請求項２】
前記被接着体が、携帯型の電話機、音楽再生機、情報端末機などの携帯型電子機器の外装ケース、また、化粧パレットやリップ容器の外装ケース、シガレットケース、宝石箱、そして、指輪、ネックレス、ペンダント、ブレスレッド、ブローチ、イアリング、カフスボタン、ネクタイピンのような宝飾品、ハンドバッグの把手、ベルト、ベルトのバックル、ストラップ、下げ飾り、又は、記章のような身回品であることを特徴とする請求項１に記載の装飾体付身回品。
【請求項３】
前記補強リブとの間に設けられている前記収容凹部が、前記装飾シート体の厚さと略同深さに設けられているか、または前記装飾シート体の厚さより僅かに深く設けられている
ことを特徴とする請求項１または２に記載の装飾体付身回品。
【請求項４】
前記ホットメルト接着剤層自体が、有彩色の顔料、又は染料で着色されているか、または、前記ホットメルト接着剤層の表面が前記顔料、又は前記染料を含む塗料にて塗装されていることを特徴とする請求項１−３の何れかに記載の装飾体付身回品。
【考案の詳細な説明】
【技術分野】
【０００１】
本考案は装飾体付身回品に関し、例えば携帯型の電話機、音楽再生機、情報端末機などの携帯型電子機器の外装ケース、また、化粧パレットやリップ容器の外装ケース、シガレットケース、宝石箱、そして、指輪、ネックレス、ペンダント、ブレスレッド、ブローチ、イアリング、カフスボタン、ネクタイピンのような宝飾品、ハンドバッグの把手、ベルト、ベルトのバックル、ストラップのような身回品に適し、生産効率が高く、製作が容易かつ確実に行え、また、製作後は構造堅牢であり、しかも、用途は広く、さらには製作コストを安価になすものである。
【背景技術】
【０００２】
従来、例えばネックレス、ブレスレッド、髪飾り等の装身具、ハンドバッグの把手、ベルト等の身回品、さらにはキャミソールや女性下着のストラップに最適に使用される装飾用棒状体として、本出願人は、宝石、人造宝石、ビーズ等の粒状装飾体よりなる所望複数列の装飾帯状体を複数列に相互に連結金具等の連結手段を介して連結し、前記装飾帯状体を捻回してホットメルト接着剤を介して接着、固定することにより捻回状態に棒状に保形し、デザイン的に変化をもたせて装飾性を高めるものを出願し、好評を博している（例えば特許文献１参照）。
【先行技術文献】
【特許文献】
【０００３】
【特許文献１】特開２００６−１８１１５１号公報
【考案の概要】
【考案が解決しようとする課題】
【０００４】
しかしながら、特許文献１に記載の上記従来の装飾用棒状体は、連結金具等の連結手段により複数列に連結した装飾帯状体を捻回してホットメルト接着剤を介して接着、固定することにより捻回状態に棒状に保形するものであるので、所望複数列の装飾帯状体を連結手段を用いて連結するのと、装飾帯状体を連結して棒状体を形成する必要から、工程数が
多くなり、製作するのに、多くの手間と時間がかかり、しかも連結手段として用いられる連結部品を必要とするから、生産効率を高め、生産コストを下げるのには不向きであった。
【０００５】
また、装飾用棒状体としての形態は、扁平なシート状乃至は板状ではなく、棒状体に形成されるので、被接着体に対して接触面積が少なく接着強度が低いのと、用途が棒状体として用いられるものに限られ、例えば縦横および高さが板面として程良い拡がりを有する物品、例えば携帯型の電話機、音楽再生機、情報端末機などの携帯型電子機器の外装ケース、また、化粧パレットやリップ容器の外装ケース、シガレットケース、宝石箱、そして、指輪、カフスボタン、ネクタイピンのような宝飾品を初めとする身回品に適用するのには不向きであった。
【０００６】
そして、本出願人は、合成樹脂により形成される被接着体に対して粒状装飾体を有する装飾シート体のホットメルト接着剤による接着性を鋭意研究した結果、接着を良好にするために、被接着体の表面に補強リブを突設することにより、この補強リブ間に設けた収容凹部内に所望形状に裁断された装飾シート体を包囲可能に収容してホットメルト接着剤層を熱圧着させることにより、装飾シート体の、被接着体に対する接着が良好で接着強度を高めることを見い出した。
【０００７】
本考案は上記従来の問題点を解決し、豪華で煌びやかな装飾性を発揮するばかりではなく、装飾シート体の被接着体に対する接着性を強度あるものとして剥離耐久性を向上し、生産効率が高く、製作が容易かつ確実に行え、また、製作後は構造堅牢な装飾体付身回品を提供することを目的とする。
【課題を解決するための手段】
【０００８】
本考案の請求項１に記載の考案は、合成樹脂で構成されるシート状基材、前記シート状基材の上面に耐熱性の接着剤で密に固着された多数の粒状装飾体、および前記シート状基材の裏面に設けられたホットメルト接着剤層を有する装飾シート体と、で構成される装飾体付身回品において、
前記被接着体には、正面又は背面と左右の側面との２面、上面又は下面と正面又は背面との２面、或いは左右の側面と上面又は下面との２面が交叉する外縁隅角部に補強リブが突設され、
該補強リブ間には収容凹部が設けられ、
前記収容凹部内に収容された前記装飾シート体が、前記ホットメルト接着剤層と前記被接着体との対向面に設けられるプライマー処理層部を介して前記被接着体に固着されている
ことを特徴とする。
【０００９】
また、本考案の請求項２に記載の考案は、請求項１において、前記被接着体が、携帯型の電話機、音楽再生機、情報端末機などの携帯型電子機器の外装ケース、また、化粧パレットやリップ容器の外装ケース、シガレットケース、宝石箱、そして、指輪、ネックレス、ペンダント、ブレスレッド、ブローチ、イアリング、カフスボタン、ネクタイピンのような宝飾品、ハンドバッグの把手、ベルト、ベルトのバックル、ストラップ、下げ飾り、又は、記章のような身回品であることを特徴とする。
【００１０】
また、本考案の請求項３に記載の考案は、請求項１または２において、前記補強リブとの間に設けられている前記収容凹部が、前記装飾シート体の厚さと略同深さに設けられているか、または前記装飾シート体の厚さより僅かに深く設けられている
ことを特徴とする。
【００１１】
また、本考案の請求項４に記載の考案は、請求項１−３の何れかにおいて、前記ホットメルト接着剤層自体が、有彩色の顔料、又は染料で着色されているか、または、前記ホットメルト接着剤層の表面が前記顔料、又は前記染料を含む塗料にて塗装されていることを特徴とする。
【考案の効果】
【００１２】
本考案の請求項１に記載の考案によれば、合成樹脂で構成されるシート状基材、前記シート状基材の上面に耐熱性の接着剤で密に固着された多数の粒状装飾体、および前記シート状基材の裏面に設けられたホットメルト接着剤層を有する装飾シート体と、で構成される装飾体付身回品において、前記被接着体には、正面又は背面と左右の側面との２面、上面又は下面と正面又は背面との２面、或いは左右の側面と上面又は下面との２面が交叉する外縁隅角部に補強リブが突設され、該補強リブ間には収容凹部が設けられ、前記収容凹部内に収容された前記装飾シート体が、前記ホットメルト接着剤層と前記被接着体との対向面に設けられるプライマー処理層部を介して前記被接着体に固着されているので、合成樹脂よりなるシート状基材の上面に耐熱性の接着剤で密に固着され、シート状基材の裏面にはホットメルト接着剤層が設けられた装飾シート体の粒状装飾体は、装飾帯状体を捻回してホットメルト接着剤層を介して接着、固定することにより捻回状態に棒状に保形した従来の装飾用棒状体が、所望複数列の装飾帯状体を連結金具などの連結手段を用いて連結するのと、装飾帯状体を連結する必要から工程数が多くなるため、製作に多くの手間と時間がかかり、連結部品を必要とし、生産効率が低かったのとは異なり、収容凹部内において、前記補強リブにて周囲から包囲され、プライマー処理層部のホットメルト接着剤層に対する活性が高まり、ホットメルト接着剤層は熱圧着されて補強リブの内面に固着され、冷却後は固化されるため、接着強度が高まり、被接着体に強固に固着することができる。従って、本考案の装飾体付身回品は、豪華で煌びやかな装飾性を発揮するばかりではなく、装飾シート体の被接着体に対する接着性を強度あるものとして剥離耐久性を向上でき、生産効率が高まり、製作が容易かつ確実に行え、生産コストは安価になる。
【００１３】
また、製作後は、装飾シート体は、補強リブにより、周囲が包囲され、被接着体に対するホットメルト接着剤層の接着面は保護されるので、構造堅牢に接着される。しかも、粒状装飾体に対する外部からの引掛かりは、補強リブにより阻止されるので、違和感がなく、使用が行えるとともに、粒状装飾体が外部からの引掛かりにより合成樹脂よりなるシート状基材との一体的な剥離は防止される。
【００１４】
しかも、用途は前述のように、携帯型の電話機、音楽再生機、情報端末機などの携帯型電子機器の外装ケース、また、化粧パレットやリップ容器の外装ケース、シガレットケース、宝石箱、そして、指輪、カフスボタン、ネクタイピンのような宝飾品を初めとする身回品に適用することができるから、広範に及ぶ。そして、粒状装飾体を輝度をもって装飾することができる。
【００１５】
また、本考案の請求項２に記載の考案によれば、請求項１において、前記被接着体が、携帯型の電話機、音楽再生機、情報端末機などの携帯型電子機器の外装ケース、また、化粧パレットやリップ容器の外装ケース、シガレットケース、宝石箱、そして、指輪、ネックレス、ペンダント、ブレスレッド、ブローチ、イアリング、カフスボタン、ネクタイピンのような宝飾品、ハンドバッグの把手、ベルト、ベルトのバックル、ストラップ、下げ飾り、又は、記章のような身回品であるので、用途は広範に及ぶ。そして、粒状装飾体を輝度をもって装飾することができる。
【００１６】
また、本考案の請求項３に記載の考案によれば、請求項１または２において、前記補強リブとの間に設けられている前記収容凹部が、前記装飾シート体の厚さと略同深さに設けられているか、または前記装飾シート体の厚さより僅かに深く設けられているので、合成樹脂よりなるシート状基材の上面に耐熱性を有する接着剤にて固着され、シート状基材の裏面にはホットメルト接着剤層が設けられた装飾シート体の粒状装飾体は、装飾帯状体を捻回してホットメルト接着剤層を介して接着、固定することにより捻回状態に棒状に保形した従来の装飾用棒状体が、所望複数列の装飾帯状体を連結金具などの連結手段を用いて連結するのと、装飾帯状体を連結する必要から工程数が多くなり、製作に多くの手間と時間がかかり、連結金具などの連結部品を必要とし、生産効率が低かったのとは異なり、本考案では、前記補強リブとの間に設けられている前記収容凹部が、装飾シート体の厚さと略同深さであるか、または前記装飾シート体の厚さより僅かに深く設けられているため、収容凹部内において、プライマー処理層部のホットメルト接着剤層に対する活性が高まり、ホットメルト接着剤層を介して収容凹部の内面に固着される。そして、冷却後は固化されるため、接着強度が高まり、合成樹脂製の被接着体に強固に固着することができる。そして、合成樹脂よりなるシート状基材の上面に耐熱性を有する接着剤により粒状装飾体が固着された装飾シート体を、合成樹脂によりなる被接着体に設けられた補強リブ間に設けられた収容凹部内に収容させて装飾シート体の裏面に設けられたホットメルト接着剤層を熱圧着するという簡単な取扱い操作により、粒状装飾体を合成樹脂により形成された被接着体に固着することができる。
【００１７】
従って、本考案の装飾体付身回品は、豪華で煌びやかな装飾性を発揮するばかりではなく、装飾シート体の被接着体に対する接着性を強度あるものとし、装飾シート体は、補強リブにより、周囲から包囲され、被接着体に対するホットメルト接着剤層の接着面は保護されるので、構造堅牢に接着され、剥離耐久性が向上され、生産効率が高まり、製作が容易かつ確実に行え、生産コストは安価になる。
【００１８】
また、製作後は、装飾シート体は、粒状装飾体に対する外部からの引掛かりは、補強リブが邪魔して保護されるので、違和感がなく、使用が行えるとともに、粒状装飾体が外部からの引掛かりにより合成樹脂よりなるシート状基材との一体的な剥離は防止される。また、補強リブは、合成樹脂により形成された被接着体が引張りや圧縮等の外力が働いた場合に、剪断や応力に耐え、強い強度を発揮し、構造堅牢になる。
【００１９】
また、本考案の請求項４に記載の考案によれば、請求項１−３の何れかにおいて、前記ホットメルト接着剤層自体が、有彩色の顔料、又は染料で着色されているか、または、前記ホットメルト接着剤層の表面が前記顔料、又は前記染料を含む塗料にて塗装されているので、使用時に装飾シート体の粒状装飾体の背面を様々な彩色がその反射光として発光して色とりどりに楽しむともに、粒状装飾体の輝度を浮き立たせることができ、見映えがする。
【図面の簡単な説明】
【００２０】
【図１】図１は本考案の装飾体付身回品を携帯電話機の外装ケースに適用した場合の一実施形態を示す分解斜視図である。
【図２】図２は同じく正面図である。
【図３】図３は同じく背面図である。
【図４】図４は図２のＸ−Ｘ拡大矢視断面図である。
【考案を実施するための形態】
【００２１】
以下図面に従い、本考案を実施するための最良の形態につき詳細を説明する。
【００２２】
本実施形態を装飾体付身回品Ａとして携帯電話機Ｂに装設する外装ケースに適用した場合につき説明する。
【００２３】
本実施形態では、合成樹脂で構成されるシート状基材１、前記シート状基材１の上面に耐熱性の接着剤２で密に固着された多数の粒状装飾体３、および前記シート状基材１の裏面に設けられたホットメルト接着剤層４を有する装飾シート体５と、で構成される装飾体付身回品Ａにおける構成である。
【００２４】
そして、本実施形態では、前記被接着体６には、図１、および図４に示されるように正面と左右の側面との２面が交叉する外縁隅角部に補強リブ７,７が突設され、該補強リブ７,７間には収容凹部８が設けられ、前記収容凹部８内に収容された前記装飾シート体５が、前記ホットメルト接着剤層４と前記被接着体６との対向面に設けられるプライマー処理層部９を介して前記被接着体６に固着されている。
【００２５】
また、図には示さないが、本考案の装飾体付身回品Ａは、前述のように、前記被接着体６の正面と左右の側面との２面が交叉する外縁隅角部のほか、背面と左右の側面との２面、上面又は下面と正面又は背面との２面、或いは左右の側面と上面又は下面との２面が交叉する外縁隅角部に補強リブ７,７が突設され、該補強リブ７,７間に収容凹部８が設けられている場合も本考案の適用範囲である。
【００２６】
前記シート状基材１が、合成樹脂として例えばポリウレタン樹脂シートにより形成されている。
【００２７】
また、前記接着剤２が、エポキシ樹脂、フェノブラスト、アミノブラスト、アクリル樹脂、アルキド樹脂、不飽和ポリエステル樹脂の何れかから選ばれる合成樹脂接着剤により形成される。
【００２８】
前記粒状装飾体３は、図示する実施形態では、資材費が比較的廉価に入手し易くするために、人造宝石が多数使用されるが、その大きさが例えば１．３〜２．０ｍｍ、好ましくは１．５〜１．６ｍｍのものが使用される。このほかに、粒状装飾体としては、ビーズ、また、例えばダイヤモンド、エメラルド、サファイア、ルビー、オパール、翡翠、アメジスト、水晶、トルマリン、オニキス、サンゴ、真珠等の宝石が挙げられ、また、貴金属ボールとしては、例えば金、金合金、白金、白金合金、銀等により形成されるものがある。また、金属ボールとしては、例えば鉄、ステンレス、銅、アルミニウム、亜鉛等により形成されるものがある。
【００２９】
そして、人造宝石をシート状基材１の上面に接着剤２により固着するのには、図には示さない治具が使用されることにより人造宝石を接着剤２上に縦横および高さが規則正しく整然と載置され、固着される。治具には縦横に規則正しく整然と多数の孔が設けられたものが使用され、この孔に通じて人造宝石はシート状基材１の接着剤２上に固着される。
【００３０】
また、前記ホットメルト接着剤層４が、ポリカーボネート樹脂、ポリアミド系樹脂、ＡＢＳ樹脂とＳＡＮ樹脂との共重合体、ポリアセタール類、ポリエステル類の何れかから選ばれる合成樹脂系接着剤により形成される。
【００３１】
そして、前記ホットメルト接着剤層４自体には、有彩色の顔料、又は染料で着色されているか、または前記ホットメルト接着剤層４の表面に前記顔料、又は染料を含む塗料にて塗装がされている。このように、前記ホットメルト接着剤層４自体には、有彩色の顔料、
又は染料にて着色するか、または前記ホットメルト接着剤層４の表面に前記顔料、又は前記染料を含む塗料にて塗装が行われるようにしたのは、使用時に装飾シート体５の粒状装飾体３の背面を様々な彩色がその反射光として発光して色とりどりに楽しむともに、粒状装飾体３の輝度を浮き立たせることができ、見映えがするためである。なお、ホットメルト接着剤層４の加熱には、例えばヒータを用いたり、または、誘導加熱により行われる。
【００３２】
そして、前記被接着体６が、ポリカーボネート樹脂により形成されるが、この実施形態では、図示では携帯電話機Ｂに外装される外装ケースが示されているが、前記被接着体６は、この他の電子機器として音楽再生機や情報機器端末が挙げられ、その他に、例えば化粧パレットやリップ容器の外装ケース、シガレットケース、宝石箱、そして、指輪、ネックレス、ペンダント、ブレスレッド、ブローチ、イアリング、カフスボタン、ネクタイピンのような宝飾品、ハンドバッグの把手、ベルト、ベルトのバックル、ストラップ、下げ飾り、記章を初めとする身回品に適用することができる。このように、被接着体６を例えばポリカーボネート樹脂により形成したのは、被接着体６は引張りまたは圧縮に対して大きな機械的強度が発揮され、構造堅牢に生産コストが安価なものを得るためであり、しかも、耐水性、耐薬品性、電気絶縁性は良好になる。
【００３３】
また、前記補強リブ７,７間に設けられる前記収容凹部８が、前記装飾シート体１の厚さＴと略同深さＷに設けられているか、または前記装飾シート体１の厚さＴより僅かに深く設けられている。
【００３４】
また、前記プライマー処理層部９が、例えばアクリル樹脂系接着剤である。このアクリル樹脂系接着剤としては、例えばアクリルポリオールを主成分とし、トルエン、酢酸エチルなどの溶剤が配合されたものが用いられる。
【００３５】
本考案の装飾体付身回品の実施形態は以上のような構成からなり、合成樹脂、例えば例えばポリウレタン樹脂シートよりなるシート状基材１の上面に耐熱性を有する接着剤、例えばエポキシ樹脂、フェノブラスト、アミノブラスト、アクリル樹脂、アルキド樹脂、不飽和ポリエステル樹脂の何れかから選ばれる合成樹脂接着剤の接着剤２により固着され、シート状基材１の裏面には例えばポリカーボネート樹脂、ポリアミド系樹脂、ＡＢＳ樹脂とＳＡＮ樹脂との共重合体、ポリアセタール類、ポリエステル類の何れかから選ばれる合成樹脂系接着剤よりなるホットメルト接着剤層４が設けられた装飾シート体５の粒状装飾体３は、ポリカーボネートよりなる合成樹脂により形成された被接着体６としての携帯電話機の外装ケースの表面の補強リブ７,７間に設けられた収容凹部８内に収容されてから、ホットメルト接着剤層４は熱圧着されることにより、被接着体６に装飾シート体５を接着することができる。なお、ホットメルト接着剤層４の加熱には、例えばヒータを用いたり、誘導加熱により容易に行うことができる。
【００３６】
この際、被接着体６が、携帯電話機の外装ケースに適用された本実施形態では、例えば図１および図４に示されるように、前記補強リブ７,７が被接着体６の正面と左右の両側面との２面が交叉する外縁隅角部に設けられることにより、この補強リブ７,７間に設けられた収容凹部８が、前記装飾シート体１の厚さＴと略同深さＷに設けられているか、または前記装飾シート体１の厚さＴより僅かに深く設けられているので、装飾帯状体を捻回してホットメルト接着剤層を介して接着、固定することにより捻回状態に棒状に保形した従来の装飾用棒状体が、所望複数列の装飾帯状体を連結金具等の連結手段を用いて連結するのと、装飾帯状体を連結する必要から工程数が多くなり、製作に多くの手間と時間がかかり、連結部品を必要とするため、生産効率が低かったのとは異なり、本実施形態では、前記補強リブ７,７が周囲から装飾シート体５のホットメルト接着剤層４と、このホットメルト接着剤層４と被接着体６とに接触するように設けられたプライマー処理層部９を包囲し、プライマー処理層部９のホットメルト接着剤層４に対する活性が高まり、ホットメルト接着剤層４は熱圧着されて補強リブ７,７の内面に付着し、冷却後は固化されるため、接着強度が高まり、被接着体６に強固に接着することができる。
【００３７】
このように、合成樹脂よりなるシート状基材１の上面に耐熱性を有する接着剤２を介して粒状装飾体３が接着された装飾シート体５を、合成樹脂によりなる被接着体６の表面に、少なくとも２面が交叉する外縁隅角部に設けた補強リブ７,７間の収容凹部８内に収容させることにより、被接着体６に対して接着するシート状基材１の位置決めが迅速かつ正確に行え、装飾シート体５の裏面に設けられたホットメルト接着剤層４を熱圧着するという簡単な取扱い操作により、粒状装飾体３を合成樹脂により形成された被接着体６に接着することができ、生産効率が高まり、製作が容易かつ確実に行え、生産コストは安価になる。
【００３８】
また、製作後は、装飾シート体５は、補強リブ７,７により、周囲から包囲され、被接着体６に対するホットメルト接着剤層４の接着面を保護するので、構造堅牢に接着される。そして、粒状装飾体３に外力が働いても引掛かりは、補強リブ７,７が邪魔して保護されるので、違和感がなく、使用が行えるとともに、粒状装飾体３が引掛かることにより合成樹脂よりなるシート状基材１との一体的な剥離は防止され、剥離耐久性を向上される。
【００３９】
そして、装飾シート体５は、例えば例えばポリウレタン樹脂シートよりなるシート状基材１の上面に耐熱性を有する接着剤、例えばエポキシ樹脂、フェノブラスト、アミノブラスト、アクリル樹脂、アルキド樹脂、不飽和ポリエステル樹脂の何れかから選ばれる合成樹脂接着剤の接着剤２により粒状装飾体３として、例えば多数の人造宝石が密に整然と固着されているので、ゴウジャスで煌めきを放つ輝度をもって装飾することができる。また、人造宝石の大きさが例えば１．３〜２．０ｍｍ、好ましくは１．５〜１．６ｍｍのものが多数使用されるので、多数の粒状装飾体３が全体的に燦然とした輝きを放ち、際だった装飾性を発揮する。
【００４０】
また、前記ホットメルト接着剤層４自体は、有彩色の顔料、又は染料により着色するか、または前記ホットメルト接着剤層４の表面に前記顔料、又は前記染料を含む塗料にて塗装が行うようにすれば、使用時に装飾シート体５の粒状装飾体３の背面を様々な彩色がその反射光として発光して色とりどりに楽しむことができるともに、粒状装飾体３の輝度を浮き立たせることができ、見映えがする。
【００４１】
上記の人造宝石のほかに、粒状装飾体３は、ビーズが使用され、また、例えばダイヤモンド、エメラルド、サファイア、ルビー、オパール、翡翠、アメジスト、水晶、トルマリン、オニキス、サンゴ、真珠等の宝石が挙げられ、また、貴金属ボールとしては、例えば金、金合金、白金、白金合金、銀等により形成されるものを用いることができる。また、金属ボールとしては、例えば鉄、ステンレス、銅、アルミニウム、亜鉛等により形成されるものを用いることができる。
【００４２】
しかも、前述のように、装飾シート体５は、シート状基材１の上面に耐熱性を有する接着剤２により粒状装飾体３として、例えば多数の人造宝石が密に整然と固着されているので、多数の粒状装飾体３が造り出す凹凸面により、滑り止めが発揮され、手に外装ケースを把持した場合に、不用意な落下を防止することができる。
【００４３】
また、図示する補強リブ７,７は、合成樹脂によりなる被接着体６の表面に、少なくとも正面と左右の側面との２面が交叉する外縁隅角部に設けられ、この補強リブ７,７間に設けられる収容凹部８内に、多数の粒状装飾体３を接着材２にて上面に固着した装飾シート体５をホットメルト接着剤層４により固着することにより、被接着体６の正面および左右の側面の略全面を多数の粒状装飾体３にて覆うように固着しているが、図には示さないが、補強リブ７を、例えば動物、植物、魚類、幾何学模様、映画や漫画のキャラクターのような所望形状に被接着体６の表面に設けて、その内域に設ける収容凹部８内に合致する形状に裁断した装飾シート体５を固着して被接着体６の表面に部分的に装設してもよい。また、装飾シート体５の上面に接着剤２により固着される多数の粒状装飾体３は、例えば種々の色彩の人造宝石を組み合わせることにより、所望の模様に形成してもよい。
【００４４】
また、補強リブ７,７は、例えばポリカーボネート樹脂よりなる合成樹脂により形成された被接着体６の正面と左右の側面との２面が交叉する外縁隅角部に設けられるので、被接着体６が引張りや圧縮等の外力が働いた場合に、剪断や応力に耐え、強い強度を発揮し、構造堅牢になる。そのため、落下した場合にも、被接着体６により携帯電話機Ｂを保護し、衝撃により損壊したり、故障から護ることができるとともに、被接着体６自体としての外装ケース自体の割れやカケを防止できる。
【００４５】
なお、本実施形態では、被接着体６が、携帯電話機の外装ケースに適用された本実施形態では、例えば図示されるように、前記補強リブ７,７が被接着体６の正面と左右の両側面との２面が交叉する外縁隅角部に設けられることにより、この補強リブ７,７間にホットメルト接着剤層４にて装飾シート体５を固着するための収容凹部８を設けた場合につき、代表的に説明しているが、これは例示であり、図には示さないが、他に被接着体６の背面と左右の側面との２面、上面又は下面と正面又は背面との２面、或いは左右の側面と上面又は下面との２面が交叉する被接着体６の外縁隅角部に補強リブ７,７が突設され、この補強リブ７,７間に設ける収容凹部８内にホットメルト接着剤層４にて装飾シート体５を固着する場合にも本考案の適用範囲である。
【００４６】
そして、この実施形態では、前記被接着体６が、図示では携帯電話機Ｂに外装される外装ケースとして適用されているが、前記被接着体６は、他の電子機器として音楽再生機や情報機器端末が挙げられ、その他に、例えば化粧パレットやリップ容器の外装ケース、シガレットケース、宝石箱、そして、指輪、ネックレス、ペンダント、ブレスレッド、ブローチ、イアリング、カフスボタン、ネクタイピンのような宝飾品、ハンドバッグの把手、ベルト、ベルトのバックル、ストラップ、下げ飾り、記章を初めとする身回品に適用することができ、用途は広範に及ぶ。
【産業上の利用可能性】
【００４７】
本考案は、豪華で煌びやかな装飾性を発揮するばかりではなく、装飾シート体の被接着体に対する接着性を強度あるものとして剥離耐久性を向上し、生産効率が高く、製作が容易かつ確実に行え、また、製作後は構造堅牢になるという用途・機能に適する。
【符号の説明】
【００４８】
１      シート状基材
２      接着剤
３      粒状装飾体
４      ホットメルト接着剤層
５      装飾シート体
６      被接着体
７      補強リブ
８      収容凹部
９      プライマー処理部
Ａ      装飾体付身回品
Ｂ      携帯電話機
Ｔ      厚さ
Ｗ      深さ
【図１】
0003173360.tif 000003
【図２】
0003173360.tif 000004
【図３】
0003173360.tif 000005
【図４】
0003173360.tif 000006